(57)【要約】【課題】ハンズフリー状態であっても、表示性能に応じて通信中に音声のみの通信と、音声及び映像による通信とを切り替えることができる通信装置を提供することである。【解決手段】映像データ送受信手段２１４と、音声データ送受信手段２１５と、当該装置に着脱可能に設けられた表示手段１１０〜１１３と、表示手段の表示性能を判別する表示性能判別手段２１と、通話中に前記表示手段の交換を検出する交換検出手段２７と、表示手段の交換が検出されると、表示性能判別手段に対し、交換された表示部が映像データの表示が可能か否か判別させる判別制御手段２１２と、表示部が映像データの表示が可能な表示性能を有すると判別されると、映像データ送受信手段による映像データの送受信を許可する許可手段２１３とを備える通信装置である。【選択図】図６
2006109149.tif 000002
【特許請求の範囲】
【請求項１】
映像データを送受信する映像データ送受信手段と、
音声データを送受信する音声データ送受信手段と、
当該装置に着脱可能に設けられた表示手段と、
外部より通話要求を検出する通話要求検出手段と、
この通話要求検出手段により前記映像データ送受信手段と前記音声データ送受信手段とを使用することによる通話要求を検出すると、当該装置が通常の通話が可能な状態か、ハンズフリーの通話が可能な状態かを判別する通話状態判別手段と、
この通話状態判別手段により、ハンズフリーの通話が可能な状態であると判別すると、前記表示手段の表示性能を判別する表示性能判別手段と、
この表示性能判別手段により、映像データの表示が不可能な表示性能であると判別した場合、前記映像データ送受信手段のみをキャンセルするよう指示するキャンセル指示手段と
を備えたことを特徴とする通信装置。
【請求項２】
通話中に前記表示手段が交換されたことを検出する交換検出手段と、
この交換検出手段により表示手段が交換されたことを検出すると、前記表示性能判別手段に対し、映像データの表示が可能な表示手段か否か判別させる判別制御手段と、
この判別制御手段により、交換された表示手段が映像データの表示が可能な表示性能を有すると判別されると、映像データ送受信手段による映像データの送受信を許可する許可手段と
を備えたことを特徴とする請求項１に記載の通信装置。
【請求項３】
撮像手段と、
前記許可手段による映像データの送受信が許可されると、前記撮像手段によって撮像される内容から映像データを生成し、前記映像データ送受信手段に供給する映像データ供給手段と
を更に備えることを特徴とする請求項２に記載の通信装置。
【請求項４】
当該装置は、本体部と、前記表示手段を備えた蓋部と、前記本体部と前記蓋部とを回動可能に連結し所定角度に回動された状態で固定的に保持される連結部とで構成され、
前記通話状態判別手段は、前記連結部における前記本体部と前記蓋部との回動角度を検出することにより、当該装置が通常の通話が可能な状態か、ハンズフリーの通話が可能な状態かを判別することを特徴とする請求項１乃至３の何れかに記載の通信装置。
【請求項５】
前記本体部の端面と前記蓋部の端面とは、前記所定角度にあるときに安定して転置されるように互いに平行に、且つ、ほぼ直線形状に形成されることを特徴とする請求項４に記載の通信装置。
【発明の詳細な説明】
【技術分野】
【０００１】
本発明は、例えば、通常の音声通話機能と、テレビ電話機能とを備える通信装置に関する。
【背景技術】
【０００２】
通信装置として、従来の携帯電話機には、表示部が設けられた蓋体と、キー入力部が設けられた本体とが、ヒンジ部で折り畳んで重ね合わせられるように接続された、いわゆる折り畳み式の携帯電話機が存在する。このような折り畳み式の携帯電話機は、待受け時には折り畳んだ状態で持ち歩き、あるいは蓋体が上に位置するように寝かせて適当な場所に置いておき、通常の音声通話、もしくはテレビ電話として使用した場合は、上記蓋体を本体より開いた状態で使用することが一般的となっている。
【０００３】
また、折り畳み式の携帯電話機でテレビ電話として使用した場合において、本体に対し蓋体を適切な角度に開き、ハンズフリー通話を実現する技術も考案されている（特許文献１参照）。
【特許文献１】特開２００３−３０９６３４号公報（第５ページ、第３図）
【発明の開示】
【発明が解決しようとする課題】
【０００４】
しかしながら、特許文献１の携帯電話機にはハンズフリーのテレビ電話による通話を可能にすることを記載しているが、ハンズフリーの状態で、かつ、表示部の性能に応じた通常音声通話とテレビ電話による通話との切り替えについては記載されていない。
【０００５】
本発明の課題は、上記のような問題点に鑑みてなされたものであり、ハンズフリー状態であっても、表示性能に応じて、通信中に音声のみの通信と、音声及び映像による通信とを切り替えることができる通信装置を提供することである。
【課題を解決するための手段】
【０００６】
以上の課題を解決するため、請求項１に記載の発明は、通信装置であって、映像データを送受信する映像データ送受信手段と、音声データを送受信する音声データ送受信手段と、当該装置に着脱可能に設けられた表示手段と、外部より通話要求を検出する通話要求検出手段と、この通話要求検出手段により前記映像データ送受信手段と前記音声データ送受信手段とを使用することによる通話要求を検出すると、当該装置が通常の通話が可能な状態か、ハンズフリーの通話が可能な状態かを判別する通話状態判別手段と、この通話状態判別手段により、ハンズフリーの通話が可能な状態であると判別すると、前記表示手段の表示性能を判別する表示性能判別手段と、この表示性能判別手段により、映像データの表示が不可能な表示性能であると判別した場合、前記映像データ送受信手段のみをキャンセルするよう指示するキャンセル指示手段とを備えたことを特徴とする。
【０００７】
請求項１に記載の発明によれば、通話要求を検出してから、当該装置が通常の通話が可能な状態か、ハンズフリーの通話が可能な状態かを判別し、ハンズフリーの通話が可能な状態であると判別すると、着脱可能な表示手段の表示性能が映像データの表示が可能であるか否かを判別し、映像データの送受信をキャンセルするので、表示手段の表示性能に応じて、音声のみの通話と、音声及び映像による通話とを切り替えることができる。
【０００８】
請求項２に記載の発明は、請求項１に記載の通信装置であって、通話中に前記表示手段が交換されたことを検出する交換検出手段と、この交換検出手段により表示手段が交換されたことを検出すると、前記表示性能判別手段に対し、映像データの表示が可能な表示手段か否か判別させる判別制御手段と、この判別制御手段により、交換された表示手段が映像データの表示が可能な表示性能を有すると判別されると、映像データ送受信手段による映像データの送受信を許可する許可手段とを備えたことを特徴とする。
【０００９】
請求項２に記載の発明によれば、通話中に交換検出手段により表示手段が交換されたことを検出すると、判別制御手段が表示性能判別手段に対し、交換された表示手段が映像データの表示が可能な表示性能を有するか否かを判別し、映像データの表示が可能な表示手段であると判別した場合には、許可手段により映像データ送受信手段による映像データの送受信を許可するので、通話中に、表示性能が異なる表示手段に交換して、音声のみの通話と、音声及び映像による通話とを切り替えることができる。
【００１０】
請求項３に記載の発明は、請求項２に記載の通信装置であって、撮像手段と、前記許可手段による映像データの送受信が許可されると、前記撮像手段によって撮像される内容から映像データを生成し、前記映像データ送受信手段に供給する映像データ供給手段とを更に備えることを特徴とする
【００１１】
請求項３に記載の発明によれば、撮像手段によって撮像される内容から映像データを生成し、映像データ送受信手段に供給し、映像データを送受信することで、テレビ電話として機能させることができる。
【００１２】
請求項４に記載の発明は、請求項１乃至３の何れかに記載の通信装置であって、当該装置は、本体部と、前記表示手段を備えた蓋部と、前記本体部と前記蓋部とを回動可能に連結し所定角度に回動された状態で固定的に保持される連結部とで構成され、前記通話状態判別手段は、前記連結部における前記本体部と前記蓋部との回動角度を検出することにより、当該装置が通常の通話が可能な状態か、ハンズフリーの通話が可能な状態かを判別することを特徴とする。
【００１３】
請求項４に記載の発明によれば、連結部により本体部と蓋部とが所定角度に回動された状態で固定的に保持され、通話状態判別手段は、連結部における本体部と蓋部との回動角度を検出することにより通話状態を判別するので、本体部と蓋部との角度に応じて最適の通話状態とすることができる。
【００１４】
請求項５に記載の発明は、請求項４に記載の通信装置であって、前記本体部の端面と前記蓋部の端面とは、前記所定角度にあるときに安定して転置されるように互いに平行に、且つ、ほぼ直線形状に形成されることを特徴とする。
【００１５】
請求項５に記載の発明によれば、本体部と蓋部とを所定の角度に開き、本体部の端面と蓋部の端面とを下にして机等の上に安定して載置することができる。
【発明の効果】
【００１６】
本発明によれば、通話中に通常の通話が可能な状態か、ハンズフリーの通話が可能な状態かを判別し、通常の通話が可能な状態では音声のみの通話に、ハンズフリーの通話が可能な状態では音声及び映像による通話に切り替えることができる。
【００１７】
また、通話中に表示手段が交換されたことを検出すると、交換された表示手段が映像データの表示が可能か否かを判別し、映像データの表示が可能であると判別した場合には、音声及び映像による通話に、映像データの表示が不可能であると判別した場合には、音声のみの通話に切り替えることができる。
【発明を実施するための最良の形態】
【００１８】
以下、本発明の実施の形態について詳細に説明する。携帯電話機１は、蓋体２と、本体３と、ヒンジ部８とから概略構成されている。
【００１９】
図１は蓋体を開いた状態の携帯電話機１の外観図であり、（ａ）は正面図、（ｂ）は（ａ）の右側から見た側面図である。蓋体２の、折り畳んだ時に内側となる面には、図１（ａ）に示すように、音声通話用スピーカ４、メイン表示部５が設けられている。
【００２０】
本体３の、折り畳んだ時に内側となる面には、キー入力部６と、音声通話用マイク７とが設けられている。また、本体３の右側側面には、図１（ｂ）に示すように、サイドキー６０１、６０２、６０３が設けられている。
【００２１】
サイドキー６０１、６０２、６０３は、後述するハンズフリーモードにおける着信時にユーザが操作することにより、携帯電話機１をそれぞれテレビ電話モードでの通話状態、ハンズフリー通話状態、留守録応答状態にする。
【００２２】
蓋体２及び本体３は一端でヒンジ部８により折り畳めるように回動自在に接続されている。ヒンジ部８は、蓋体２と本体３とを回動自在に接続するとともに、蓋体２と本体３とが１５０°となる開状態（図１）と、０°となる閉状態（図２）と、所定の角度θとなる位置（図５）において、一度止まってクリック感を持たせるように、トルクが変化する構造（角度保持機構）を有している。
【００２３】
ここで、所定の角度θは、蓋体２と本体３とを開いた状態で、ヒンジ部８を上にして携帯電話機１を机等の水平面上に安定して載置することができるように、蓋体２及び本体３のヒンジ部８と反対側の端部の間隔が充分に開く角度であり、かつ、蓋体２が、携帯電話機１を載置する水平面上に立って載置されているように見える角度である。所定の角度θは鋭角であることが好ましく、１５〜７５°の任意の一定角度であることがより好ましい。以下の実施の形態では、θ＝１５°の場合について説明する。
【００２４】
蓋体２及び本体３を折り畳むと、メイン表示部５とキー入力部６とが面して収納される。図２は蓋体を閉じた状態の携帯電話機１の外観図であり、（ａ）は蓋体２側から見た正面図、（ｂ）は（ａ）の右側から見た側面図、（ｃ）は（ａ）のヒンジ８側から見た側面図、（ｄ）は（ａ）のヒンジ８と反対側から見た側面図、（ｅ）は本体３側から見た背面図である。
【００２５】
蓋体２の、折り畳んだ時に外側となる面には、図２（ａ）に示すように、撮像レンズ９、照明用ＬＥＤ１０、サブ表示部装着部１１が設けられている。サブ表示部装着部１１には、サブ表示モジュール１１０〜１１３、または、ダミーモジュール１１４が着脱される。
【００２６】
サブ表示モジュール１１０〜１１３としては、フルドットのモノクロ液晶表示デバイスを備えるモノクロ液晶表示モジュール１１０、フルドットあるいは固定的なセグメント（デジタル表示の場合は８の字のセグメント、アナログ表示の場合は放射線状のセグメント）で構成される二色液晶表示デバイスを備える二色液晶表示モジュール１１１、フルドットのカラー液晶表示デバイスを備えるカラー液晶表示モジュール１１２、二針式または三針式の機械式（クオーツ）のアナログ時計デバイスを備えるクオーツモジュール１１３等が挙げられる。
【００２７】
カラー液晶表示モジュール１１２は、時計を表示するとともに、撮像レンズ９を介して後述するＣＣＤ３４に撮像される画像を表示し、さらに、後述するテレビ電話機能の実現時には、受信した映像データを表示する。
【００２８】
また、サブ表示モジュール１１０〜１１３には、外観には表れないモジュールＩＤ記憶部１１０１、１１１１、１１２１、１１３１がそれぞれ内蔵されている。モジュールＩＤ記憶部は、サブ表示モジュール１１０〜１１３がサブ表示部装着部１１に装着された時に、携帯電話機１に認識されるモジュールＩＤを記憶する。
【００２９】
図３はサブ表示部装着部１１へのサブ表示モジュールの取り付け構造を示す斜視図である。なお、ここでは、サブ表示モジュールとして、デジタル表示の場合は数字を表示する８の字のセグメントを備える二色液晶表示モジュール１１１ａ、長針及び短針を示す放射線状のセグメントを備える二色液晶表示モジュール１１１ｂ、クオーツモジュール１１３を示しているが、モノクロ液晶表示モジュール１１０やカラー液晶表示モジュール１１２、ダミーモジュール１１４等も同様に取り付けることができる。
【００３０】
図３に示すように、蓋体２に窪んだサブ表示部装着部１１が設けられており、その底部に接続端子１１ａが設けられている。サブ表示モジュール１１０〜１１３の背面は、サブ表示部装着部１１に着脱されるように嵌合する形状をしている。また、サブ表示モジュール１１０〜１１３の背面には、接続端子１１ａと接触する図示しない金属端子が設けられている。
サブ表示モジュール１１０〜１１３は、サブ表示部装着部１１に挿入されて取り付けられ、背面の金属端子が接続端子１１ａと接触することで、携帯電話機１に認識される。
【００３１】
ダミーモジュール１１４は上記のサブ表示モジュール１１０〜１１３と同一の外観形状をしている。ダミーモジュール１１４には、ユーザの好みにより、アクセサリや写真等を収納することができる。
【００３２】
蓋体２及び本体３のヒンジ部８と反対側の端部は、平坦かつ平行に形成されている。なお、蓋体２よりも本体３のほうが長く、蓋体２と本体３とを重ね合わせた状態で蓋体２側から見た時にも、本体３の端部は見えている。したがって、携帯電話機を１５°開いた状態で水平面上に配置すると、本体３よりも蓋体２のほうが水平面となす角が大きくなり、蓋体２が水平面上に立って載置されているように見せることができる。
【００３３】
蓋体２及び本体３を半開状態にし、ヒンジ部８を上にして、蓋体２及び本体３の平坦な両端部を机等の平坦な台の上に接触させることで、携帯電話機１を立てて載置することができ、ハンズフリー通話等を行うことができる（ハンズフリーモード）。
【００３４】
本体３のヒンジ８側の端面には、図２（ｃ）に示すように、スロットカバー１９が設けられている。スロットカバー１９は後述するメモリーカードスロット１９０を隠している。また、本体３の折り畳んだ時に外側となる面には、図２（ｅ）に示すように、着信やメール受信を報知するとともに、ハンズフリーモードでは音声通話用となる報知用スピーカ１２、２つの充電用コネクタ端子１３、１３、さらに、ＰＣ等の外部機器と接続されデータ信号が送受される図示しないデータ送受用コネクタが設けられている。
【００３５】
図４は携帯電話機１の充電器１００を示す図であり、（ａ）は側面図、（ｂ）は平面図、（ｃ）は背面図、（ｄ）は底面図である。充電器の上面には前後２箇所に凹部が設けられている。前側の凹部は蓋体２が載置される蓋体載置部１７であり、後側の凹部は本体３が載置される本体載置部１８である。
【００３６】
本体載置部１８の側壁面の２箇所には、載置された本体３の充電用コネクタ端子１３、１３と当接するように充電用コネクタ端子１４、１４が設けられている。また、本体載置部１８には、本体３のデータ送受用コネクタと接するように、図示しないデータ送受用コネクタが設けられている。
【００３７】
また、充電器の後部には、ＰＣ等の外部機器に接続するためのＵＳＢ対応のコネクタ１５、外部電源と接続する充電用コネクタ１６等が設けられている。コネクタ１５は本体載置部１８のデータ送受用コネクタと導通しており、充電用コネクタ１６は充電用コネクタ端子１４、１４と導通している。
【００３８】
図５は充電器１００に携帯電話機１を載置した状態を示す図であり、（ａ）は正面図、（ｂ）は側面図である。このように、充電器１００の上に携帯電話機１を立てて載置することで、サブ表示モジュール１１０〜１１３で時計を表示して置き時計として用いたり、あるいはダミー表示部モジュール１１４によりアクセサリや写真等を展示したりすることができる。
【００３９】
図６は、この携帯電話機１の通信・画像・制御処理を示すブロック図である。無線処理部２０は、本体３に内蔵された内蔵アンテナ２００より受信した８００ＭＨｚ〜２．４ＧＨｚのＷ−ＣＤＭＡ方式、ＰＳＫ方式の信号を復調してデジタルデータにして後段の制御部２１に出力する他、この制御部より出力されたデジタルデータを変調して内蔵アンテナ２００より出力する。
【００４０】
制御部２１は、着信検出部２１１、判別制御部２１２、映像データ送受信許可部２１３、映像データ処理部２１４、音声データ処理部２１５、信号処理部２２、計時情報記憶部２３、システムＲＯＭ２４、及び、オーディオインターフェイス２５からなり、携帯電話機１全体を制御する。
【００４１】
着信検出部２１１は、無線処理部２０から出力された信号により、着信検出による外部からの通話要求を検出し、判別制御部２１２を動作させるとともに、音声通話用スピーカ４または報知用スピーカ１２を鳴動させたり、メイン表示部５やサブ表示モジュール１１０〜１１３の表示を切り替えたりする一連の着信応答動作を指示する動作信号を出力する。
【００４２】
判別制御部２１２は、着信検出部２１１から動作信号が入力されると、後述する角度検出部２６が出力する切り替え信号により、携帯電話機１の通話状態が通常の音声通話モード（蓋体２と本体３とが１５０°となる開状態）であるか、ハンズフリーモードであるかを判別し、ハンズフリーモードの場合には、映像データ送受信許可部２１３に判別信号を出力する。
【００４３】
映像データ送受信許可部２１３は、判別制御部２１２から判別信号が、後述するスイッチ制御部３０から取得信号がともに入力されている場合に、許可信号を後述する映像データ処理部２１４に渡し、映像データ信号の処理を許可する。また、映像データ送受信許可部２１３に判別信号及び取得信号が入力されている場合に、後述するＤＳＰ３５に指示信号を出力し、ＤＳＰ３５が生成した画像データを映像データ処理部２１４に出力させる。
【００４４】
音声データ処理部２１４は、無線処理部２０より出力されたデジタルデータが音声信号であるときには、このデジタルデータをＡＭＲ方式に準じた音声信号に伸張してオーディオインターフェイス２５に出力するとともに、オーディオインターフェイス２５より入力された音声信号をＡＭＲ方式に準じたデジタルデータへ圧縮処理する。
【００４５】
映像データ処理部２１５は、無線処理部２０より出力されたデジタルデータが音声信号のみでなく、映像信号も含むときには、映像データ送受信許可部２１３で許可されたときのみ、Ｈ．２６３、Ｈ．２６４に準拠した符号化／復号化方式に基づいて映像データの変調、復調を開始する。
【００４６】
信号処理部２２は、無線処理部２０より入力されたデジタル波形信号を、対応する通信方式（Ｗ−ＣＤＭＡ方式）に準拠したデジタルデータに変換する。また、音声データ処理部２１４、映像データ処理部２１５からデジタルデータが入力されると、上記通信方式に沿ったデジタル信号に変換し、無線処理部２０へ出力する。
【００４７】
また、信号処理部２２はクロック（局部発振回路）２２１を内蔵し、このクロック２２１のカウントに基づいて生成される計時情報を計時情報記録部２３に出力する。なお、クロック２２は、無線通信によって受信される時刻情報に同期してカウントしてもよい。
【００４８】
計時情報記録部２３は、ユーザによる手動設定、もしくは、内蔵アンテナ２００を介して受信される外部の無線基地局からのパイロットチャンネル信号に含まれるシステム情報の時刻情報を記憶する。
【００４９】
システムＲＯＭ２４は、ユーザの加入者情報や端末識別情報を含む当該携帯電話機の基本的なシステムプログラムを記憶する。
【００５０】
オーディオインターフェイス２５は、音声通話用マイク７を介して入力された音声を音声データ処理部２１４へ出力する。一方、音声データ処理部２１４より出力された圧縮処理されたデジタルデータを復調して、音声通話用スピーカ４（ハンズフリーモードでは報知用スピーカ１２）より出力する。
【００５１】
また、上記の通信方式において、ベアラサービスが“Ｂｅａｒｅｒ  ｆｏｒ  ｖｉｄｅｏ／ａｕｄｉｏ  ｄａｔａ”である場合、これに応じてテレビ電話機能が実現する（テレビ電話モード）。このとき、音声通話処理を行う一方で、同時に受信した映像データをメイン表示部またはサブ表示モジュール１１２へ出力するとともに、撮像レンズ９を介して撮像される映像データを送信処理する。
【００５２】
角度検出部２６は、蓋体２と本体３とを接続するヒンジ部８の回動角度を検出する回路部である。本実施の形態においては、蓋体２と本体３とが１５°開いた状態で、スピーカ制御部１２０に切り替え信号を出力し、音声通話用スピーカ４と報知用スピーカ１２とを切り替えさせる。
【００５３】
サブ表示部着脱検出部２７は、サブ表示部装着部１１にサブ表示モジュール１１０〜１１３、もしくはダミーモジュール１１４が装着された時に、金属端子が接続端子１１ａに接触することにより導通の有無を検出する回路部である。
【００５４】
スイッチ制御部３０は、サブ表示モジュール１１０〜１１３の背面の金属端子が接続端子１１ａに接触することで、モジュールＩＤ記憶部１１０１、１１１１、１１２１、１１３１からモジュールＩＤを取得し、駆動信号生成部２８と表示ドライバ２９との出力を選択的に切り替える。また、映像データを表示可能なサブ表示モジュール（カラー液晶表示モジュール１１２）のモジュールＩＤを取得した場合には、映像データ送受信許可部２１３に取得信号を出力する。
【００５５】
駆動信号生成部２８は、サブ表示部装着部１１にサブ表示モジュール１１３が装着された場合に、サブ表示モジュール１１３のアナログ時計デバイスを駆動させるための駆動信号を生成する回路部である。すなわち、駆動信号生成部２８は、計時情報記憶部２３に記憶・逐次更新される計時情報を取得し、常に現在時刻が表示されるように短針（時針）、長針（分針）、秒針（三針式の場合）の位置を制御する。
【００５６】
表示ドライバ２９は、サブ表示部装着部１１にサブ表示モジュール１１０〜１１２（すなわちモノクロ、二色、カラーの液晶表示モジュールのみ）が装着された場合に、液晶表示デバイスを駆動させるための駆動信号を生成する回路部である。すなわち、表示ドライバ２９は、サブ表示部装着部１１にいずれのサブ表示モジュール１１０〜１１２が装着された場合でも、後述のドライバ情報記憶部３１から、装着されたモジュール、及び、後述する設定テーブル３２１の設定内容に対応するドライバ情報を取得し、モジュールに対応して時計を表示する表示情報を生成する。
なお、表示ドライバ２９は、メイン表示部５や照明用ＬＥＤ１０も制御する。
【００５７】
ドライバ情報記憶部３１は、モノクロ液晶用ドライバ情報（アナログ表示）３１１、モノクロ液晶用ドライバ情報（デジタル表示）３１２、二色液晶用ドライバ情報（アナログ表示）３１３、二色液晶用ドライバ情報（デジタル表示）３１４、カラー液晶用ドライバ情報（アナログ表示）３１５、カラー液晶用ドライバ情報（デジタル表示）３１６が記憶されている。各ドライバ情報にはドライバＩＤが付されている。
【００５８】
ＲＡＭ３２は、アドレス帳データやメールデータ、画像ファイル等を格納・管理するとともに、図７に図示される設定テーブル３２１を備える。設定テーブル３２１には、モジュールＩＤ、デバイス、ユーザ所望の時刻表示形式の設定内容、さらに、図示しないがドライバＩＤ等が対応して記憶されている。
【００５９】
アプリケーション用フラッシュＲＯＭ３３は、画像処理アプリケーションプログラムを含む、各種ソフトウェアを格納する。
ＣＣＤ３４は撮像レンズ９を介して取得した光強度をフレーム単位で逐次ＲＧＢの電流値に変換し、ＤＳＰ３５に出力する。
ＤＳＰ３５はＣＣＤ３４より入力されたＲＧＢの電流値を輝度色差信号データに変換し、更には、ＪＰＥＧ、ＭＰＥＧ等の信号圧縮を行ってバスＢに出力する。また、映像データ送受信許可部２１３から指示信号が入力されると、ＤＳＰ３５は生成した映像データを映像データ処理部２１５に出力する。
【００６０】
音源ＩＣ３６は、バスＢより入力される音声信号（メロディ情報）を読み込み、出力すべき楽音情報データを出力し、Ｄ／Ａコンバータ・ＡＭＰ３７に出力する。スピーカ制御部１２０は、１５°開いた状態においてハンズフリーモードを実現させるために、着信を検出してからオフフック検出（サイドキー６０１、６０２の操作検出）をするまでは、Ｄ／Ａコンバータ・ＡＭＰ３７からの出力を優先し、オフフック検出の後は、オーディオインターフェイス２５からの出力を優先するように切り替え制御を行う。
【００６１】
コネクタインターフェイス１３０は、充電器１００の充電用コネクタ端子１４、１４と本体３の充電用コネクタ端子１３、１３との接続を検出に応じた電源供給の制御や、ＰＣ等の外部機器からデータ送受用コネクタへのデータ入出力を制御する回路部である。
【００６２】
カードインターフェイス１９２は、カードスロット１９０に装着されるメモリーカード１９１を検出し、メモリーカード１９１内の情報（データ）と携帯電話機１本体が記憶する情報（データ）との送受を行う。
【００６３】
次に、本発明の携帯電話機１において、サブ表示モジュール１１０〜１１３を携帯電話機１本体に装着し、表示情報を表示させる仕組みについて説明する。
【００６４】
まず、サブ表示モジュール１１０〜１１３の背面の金属端子が接続端子１１ａに接触すると、スイッチ制御部３０がモジュールＩＤを読み出す。モジュールＩＤに基づいてサブ表示モジュール１１０〜１１２が認識された場合には、表示ドライバ２９が設定テーブル３２１の設定内容に対応したドライバ情報を、ドライバ情報記憶部３１から取得し、サブ表示モジュール１１０〜１１２の各液晶表示デバイスを駆動して表示情報を表示させる。
【００６５】
カラー液晶表示モジュール１１２を装着したとき、表示ドライバ２９は、スイッチ制御部３０が取得したモジュールＩＤ「０００１」から、設定テーブル３２１の設定内容に対応してカラー液晶デバイスと判別し、カラー液晶用ドライバ情報（アナログ表示）３１５またはカラー液晶用ドライバ情報（デジタル表示）３１６を取得し、いずれかのドライバ情報によりカラー液晶表示デバイスを駆動して表示情報を表示させる。
【００６６】
なお、ハンズフリーモードにおいて、テレビ電話モードの場合には、通信相手先より送信される映像データや、後述するＣＣＤ３４及びＤＳＰ３５を介して入力される映像データを選択的に表示することができる。
【００６７】
フルドットの二色液晶表示デバイスを備える二色液晶表示モジュール１１１を装着したとき、表示ドライバ２９は、二色液晶用ドライバ情報（アナログ表示）３１３または二色液晶用ドライバ情報（デジタル表示）３１４を取得し、いずれかのドライバ情報により二色液晶表示デバイスを駆動して表示情報を表示させる。
【００６８】
なお、二色液晶表示モジュール１１１が固定的なセグメント（デジタル表示の場合は数字を表示する８の字のセグメント、アナログ表示の場合は長針及び短針を示す放射線状のセグメント）で構成される二色液晶表示デバイスを備える場合、表示ドライバ２９は、スイッチ制御部３０が取得したモジュールＩＤ（デジタル表示の場合は「０００２」、アナログ表示の場合は「０００３」）により、セグメントを判断し、対応するドライバ情報（デジタル表示またはアナログ表示）に基づいて表示情報を表示させる。
【００６９】
モノクロ液晶表示モジュール１１０を装着したとき、表示ドライバ２９は、スイッチ制御部３０が取得したモジュールＩＤ「０００４」に基づき、モノクロ液晶用ドライバ情報（アナログ表示）３１１またはモノクロ液晶用ドライバ情報（デジタル表示）３１２を取得し、いずれかのドライバ情報によりモノクロ液晶表示デバイスを駆動して表示情報を表示させる。
【００７０】
図８は、携帯電話機１をユーザが操作することにより、ユーザ所望の時刻表示形式を設定し、設定テーブル３２１に記憶する動作を示すフローチャートである。まず、ユーザの操作により、時刻表示形式の設定内容を一覧表示させる指示が出されると、スイッチ制御部３０がモジュールＩＤを設定テーブル３２１と照会し、モジュールＩＤに対応するドライバＩＤを取得する（ステップＳ１３０）。次に、表示ドライバ２９がドライバ情報記憶部３１からドライバＩＤに対応するドライバ情報を読み込む（ステップＳ１３１）。
ドライバＩＤに対応するドライバ情報があれば、各ドライバ情報に対応する設定メニュー（図９参照）をメイン表示部５に表示する（ステップＳ１３２）。
【００７１】
設定メニューが表示されたら、ユーザの入力・選択操作に応じて設定テーブル３２１の作成を行う（ステップＳ１３３）。ユーザによって登録またはキャンセルの決定がされるまで繰り返す。ユーザによって決定がされたら（ステップＳ１３４）、設定テーブル３２１を記憶・更新処理を行う（ステップＳ１３５）。ここで、ユーザの決定が登録であれば、更新された設定テーブル３２１を記憶し、ユーザの決定がキャンセルであれば、従前の設定テーブル３２１を記憶する。その後、フローチャートの先頭にリターンする。
【００７２】
一方、モジュールＩＤに対応するドライバ情報がなければ、警告表示をした上で（ステップＳ１３６）、プログラムの先頭にリターンする。
【００７３】
図９は各サブ表示モジュール１１０〜１１２を携帯電話機１に装着した時にメイン表示部５に表示される画面であり、（ａ）はカラー液晶表示モジュール１１２、（ｂ）、（ｃ）は二色液晶表示モジュール１１１、（ｄ）はモノクロ液晶表示モジュール１１０を装着したときに示される画面である。
【００７４】
メイン表示部５の上部には、電波強度アイコン５１、電池残量アイコン５２、現在時刻５３等が表示されている。また、メイン表示部５の下部には、キャンセル指示エリア６１、登録指示エリア６２、サブメニュー表示指示エリア６３が表示されている。設定メニューエリア５４は、メイン表示部５の中央に表示される。
【００７５】
カラー液晶表示モジュール１１２を装着した時には、モジュールＩＤ「０００１」が認識され、図９（ａ）に示す設定メニューエリア５４が表示される。設定メニューエリア５４の内部には、モジュール表示エリア５５、表示形式選択エリア５６、文字色選択エリア５７、長針／短針色選択エリア５８、背景色選択エリア５９、背景画像選択エリア６０が表示される。
【００７６】
モジュール表示エリア５５には、「カラー液晶モジュール」と表示される。表示形式選択エリア５６には、「デジタル」「アナログ」の選択エリアが表示され、ユーザはカーソルキーの左右操作により、いずれかの表示形式を選択することができる。
【００７７】
文字色選択エリア５７は、表示形式選択エリア５６で「デジタル」を選択したときに有効となり、メニューバー表示されるいずれかの文字色をカーソルキーの上下操作により選択・決定することができる。
【００７８】
長針／短針色選択エリア５８は、表示形式選択エリア５６で「アナログ」を選択したときに有効となり、メニューバー表示されるいずれかの長針／短針の色の組み合わせをカーソルキーの上下操作により選択・決定することができる。
【００７９】
背景色選択エリア５９では、メニューバー表示されるいずれかの背景色をカーソルキーの上下操作により選択・決定することができる。背景画像選択エリア６０では、背景とする画像ファイルのファイル名を選択・決定することができる。
【００８０】
二色液晶表示モジュール１１１を装着した時には、図９（ｂ）、（ｃ）に示すように、モジュール表示エリア５５に「二色液晶モジュール」と表示される。
固定的なセグメントで構成される二色液晶表示デバイスを備える二色液晶表示モジュール１１１を装着した時は、二色液晶表示デバイスがデジタル表示の場合にはモジュールＩＤ「０００２」が認識され、図９（ｂ）に示す設定メニューエリア５４が表示される。一方、二色液晶表示デバイスがアナログ表示の場合にはモジュールＩＤ「０００３」が認識され、図９（ｃ）に示す設定メニューエリア５４が表示される。
なお、フルドットの二色液晶デバイスを備える二色液晶表示モジュール１１１を装着した時には、図９（ｂ）または（ｃ）の画面が表示される。
【００８１】
表示形式選択エリア５６で「デジタル」を選択した場合、またはデジタル表示の二色液晶表示モジュール１１１を装着した場合には、図９（ｂ）に示すように、文字色選択エリア５７、背景色選択エリア５９が表示されるが、長針／短針色選択エリア５８、背景画像選択エリア６０は設定できないと判断され、暗転表示される。
【００８２】
文字色選択エリア６５には、「赤  青  黒」と文字が表示されており、ユーザはカーソルキーの左右操作によりいずれかの文字を選択し、赤、青、黒の三色のいずれかの文字色を選択することができる。また、背景色選択エリア６６には、「赤  青  黒  無」と文字が表示されており、ユーザはカーソルキーの左右操作によりいずれかの文字を選択し、赤、青、黒の三色または無色のいずれかの背景色を選択することができる。選択された文字色、背景色を示す文字にはアンダーバーが表示される。
【００８３】
表示形式選択エリア５６で「アナログ」を選択した場合、またはアナログ表示の二色液晶表示モジュール１１１を装着した場合には、図９（ｃ）に示すように、文字色選択エリア５７は設定できないと判断され、暗転表示されるとともに、長針色選択エリア６７、短針色選択エリア６８、背景色選択エリア６９が表示される。
【００８４】
長針色選択エリア６７、短針色選択エリア６８、背景色選択エリア６９には、「青  赤  黒  無」と文字が表示されており、ユーザはカーソルキーの左右操作によりいずれかの文字を選択し、赤、青、黒の三色または無色のいずれかの長針色、短針色、背景色を選択することができる。選択された長針色、短針色、背景色を示す文字にはアンダーバーが表示される。
【００８５】
モノクロ液晶表示モジュール１１０を装着した時には、図９（ｄ）に示すように、モジュール表示エリア５５に「モノクロ液晶モジュール」と表示される。モノクロ液晶表示モジュール１１０を装着した時には、表示形式選択エリア５６、及び背景色選択エリア５９は表示されるが、文字色選択エリア５７、長針／短針色選択エリア５８、背景画像選択エリア６０は設定できないと判断され、暗転表示される。
【００８６】
背景色選択エリア７１には、「無  黒」と文字が表示されており、ユーザはカーソルキーの左右操作によりいずれかの文字を選択し、無色または黒色のいずれかの背景色を選択することができる。なお、背景色に無色を選択すると通常表示、黒を選択すると反転表示になる。選択された背景色を示す文字にはアンダーバーが表示される。
【００８７】
これらの液晶表示モジュール１１０〜１１２は、待受状態では現在時刻を表示するが、着信やメール受信等の通信状態を検出した場合は、受信した発信者情報に基づく情報を表示することも可能である。例えば、モノクロ液晶表示モジュール１１０、二色液晶表示モジュール１１１の場合は、発信者の名前等、カラー液晶表示モジュールの場合は、発信者を特定する画像情報等の、後述するＲＡＭ３２のアドレス帳に記憶される情報を表示することができる。
【００８８】
一方、クオーツモジュール１１３を装着したときには、モジュールＩＤに基づいてサブ表示モジュール１１３が認識される。するとスイッチ制御部３０により、出力が駆動信号生成部２８からの駆動信号に切り替えられ、アナログ時計デバイスを駆動させる。
【００８９】
なお、ダミーモジュール１１４は、その背面に金属端子が設けられていないため、装着した時にサブ表示部着脱検出部２７によって着脱が検出されず、駆動信号生成回路２８や表示ドライバ２９のサブ表示モジュールを駆動するドライバを動作させない。したがって、無駄な電力消費を省くことができる。
【００９０】
図１０は、テレビ電話による着信を検出したときの携帯電話機の着信応答動作を示すフローチャートである。まず、ベアラサービスが“Ｂｅａｒｅｒ  ｆｏｒ  ｖｉｄｅｏ／ａｕｄｉｏ  ｄａｔａ”であることを判断することでテレビ電話による着信を検出すると、音声通話用スピーカ４または報知用スピーカ１２を鳴動させたり、メイン表示部５やサブ表示モジュール１１０〜１１３に着信情報を表示したりしてユーザに着信を通知する（ステップＳ１）。次いで、角度検出部２６により、蓋体２と本体３とが１５°に開いた状態であるか否かを判別する（ステップS２）。蓋体２と本体３とが１５°に開いた状態でない場合には、ハンズフリーモード以外のその他の着信処理を行う。
【００９１】
蓋体２と本体３とが１５°に開いた状態である場合には、ユーザによるサイドキー６０１の操作を検出する（ステップＳ３）。サイドキー６０１の操作が検出された場合には、スイッチ制御部３０によりサブ表示モジュールがカラー液晶表示モジュール１１２であるか否かを判別する（ステップＳ４）。
【００９２】
サブ表示モジュールがカラー液晶表示モジュール１１２であると判別した場合には、オフフック操作を行うとともに、スピーカを報知用スピーカ１２に切り替え、音声通話を開始する。また、ＣＣＤ３４及びＤＳＰ３５による撮像処理を開始する（ステップＳ５）。
【００９３】
撮像処理を開始したら、テレビ電話による通話処理を開始する。すなわち、ＤＳＰ３５が生成した映像データを映像データ処理部２１５で圧縮符号化処理し、アンテナ２００から送信するとともに、受信した映像データを伸張し、カラー液晶表示モジュール１１２に動画像を表示する（ステップＳ６）。その後、ユーザまたは発信者によりオンフック操作が行われると、通話を終了する。
【００９４】
ステップＳ４において、カラー液晶表示モジュール１１２以外のサブ表示モジュールが装着されている場合、または、いずれのサブ表示モジュールも装着されていない場合には、オフフック操作を行うとともに、スピーカを報知用スピーカ１２に切り替えるが、映像通信処理をキャンセルする（ステップＳ８）。そして、ハンズフリーモードでの音声通話を開始する（ステップＳ９）。
【００９５】
サイドキー６０１の操作が検出されない場合には、ユーザによるサイドキー６０２の操作を検出する（ステップＳ７）。サイドキー６０２の操作を検出した場合には、映像通信処理をキャンセルし（ステップＳ８）、ハンズフリーモードでの音声通話を開始する（ステップＳ９）。その後、ユーザまたは発信者によりオンフック操作が行われると、通話を終了する。
【００９６】
サイドキー６０２の操作を検出しない場合には、ユーザによるサイドキー６０３の操作を検出する（ステップＳ１０）。サイドキー６０３の操作を検出した場合には、留守録モードとなる。すなわち、オフフック操作を開始するとともに、発信者側に留守録応答用の音声データを送信する留守録応答を行う（ステップＳ１１）。その後、発信者によりオンフック操作が行われると、通話を終了する。
【００９７】
サイドキー６０３の操作を検出しなかった場合には、着信要求信号が停止したか否かを判断し（ステップＳ１２）、停止していない場合にはステップＳ１に戻り、停止した場合には、着信応答動作を終了する。
【００９８】
また、本発明の携帯電話機１では、カラー液晶表示モジュール１１２を装着しておらず、ベアラサービスが“Ｂｅａｒｅｒ  ｆｏｒ  ｓｐｅｅｃｈ  ｄａｔａ”である場合、すなわち音声通話中にカラー液晶表示モジュール１１２を装着することで、映像通信を許可して映像通信処理を開始し、映像データを送受信することができる。
【００９９】
図１１は音声通話中にカラー液晶表示モジュール１１２を装着し、映像データの送受信を開始する動作について説明するフローチャートである。ここで、音声通話中とは、携帯電話機１を１５０°開いた開状態における音声通話中であってもよいし、ハンズフリーモードにおける音声通話中であってもよい。
【０１００】
まず、ベアラサービスが“Ｂｅａｒｅｒ  ｆｏｒ  ｓｐｅｅｃｈ  ｄａｔａ”であることを検出することによって通常の音声通話を行っている最中に、サブ表示モジュールの装着を検出する（ステップＳ１３）。サブ表示モジュールの装着を検出しない場合には、フローチャートの先頭に戻り、音声通話を継続する。
【０１０１】
サブ表示モジュールの装着を検出した場合には、装着されたサブ表示モジュールのモジュールＩＤが検出されるか否かを判別する（ステップＳ１４）。モジュールＩＤが検出されない場合には、サブ表示モジュールへの信号供給を停止し（ステップＳ２０）、フローチャートの先頭に戻り、音声通話を継続する。
【０１０２】
モジュールＩＤが検出された場合には、そのモジュールＩＤがカラー液晶表示モジュール１１２のものであるか否かを判別する（ステップＳ１５）。モジュールＩＤがカラー液晶表示モジュール１１２のものでない場合には、モジュールＩＤがフルドットの液晶表示モジュールのものであるか否か判別し（ステップＳ２１）、フルドットの液晶表示モジュールのものであれば、サブ表示部モジュールに通信相手先の情報を表示し（ステップＳ２２）、このフローチャートの先頭に戻り、音声通話を継続する。フルドットの液晶表示モジュールのものでなければ、サブ表示部モジュールに時刻等の情報を表示し（ステップＳ２３）、このフローチャートの先頭に戻り、音声通話を継続する。
【０１０３】
カラー液晶表示モジュール１１２のモジュールＩＤが検出された場合には、ＣＣＤ３４及びＤＳＰ３５による撮像処理を開始する（ステップＳ１６）。次いで、本端末と相手側の端末とを接続するネットワークに対し、ベアラサービスの変更（Ｂｅａｒｅｒ  ｆｏｒ  ｖｉｄｅｏ／ａｕｄｉｏ  ｄａｔａへの変更）による映像通信の許可を要求する（ステップＳ１７）。
【０１０４】
映像通信が許可されたら、相手側からの映像データを受信しているか否かを判別する（ステップＳ１８）。映像データを受信している場合には、テレビ電話の通話処理を行う。すなわち、受信した映像データをサブ表示モジュールに表示するとともに、ＣＣＤ３４及びＤＳＰ３５により撮像された映像データを相手側に送信する。
【０１０５】
映像通信が許可されたが、相手側から送信された映像データを受信しない場合には、サブ表示部モジュールに通信相手先の情報を表示し（ステップＳ２２）、ベアラサービスの再変更を要求せずに、音声通話を継続する。
【０１０６】
このように、本発明の携帯電話機１では、テレビ電話からの着信時にカラー液晶表示モジュール１１２が装着されていない場合でも、音声通話を行い、通話中にカラー液晶表示モジュール１１２を装着し、映像データの送受信を開始することができる。
【０１０７】
なお、上記のフローチャートでは、テレビ電話からの着信による音声通話中にカラー液晶表示モジュール１１２を装着し、映像データの送受信を開始する動作について説明したが、逆に、テレビ電話による通話中に音声通話中にカラー液晶表示モジュール１１２を取り外し、音声のみの通話に切り替えてもよい。
【０１０８】
以上の実施の形態においては、折り畳み式の携帯電話機について説明したが、本発明の電子機器は携帯電話機に限らず、例えばＰＤＡやその他の電子機器においても用いることができる。
【０１０９】
また、以上の実施の形態においては、所定の角度θを１５°として説明したが、本発明はこれに限らず、任意の角度とすることができ、メイン表示部やサブ表示部の形状等、その他の具体的な細部構造についても適宜変更可能であることはもちろんである。
【図面の簡単な説明】
【０１１０】
【図１】本発明の実施の形態の携帯電話機の開いた状態を示す外観図であり、（ａ）は正面図、（ｂ）は（ａ）の右側から見た側面図である。
【図２】図１の携帯電話機の閉じた状態を示す外観図であり、（ａ）は蓋体側から見た正面図、（ｂ）は（ａ）の右側から見た側面図、（ｃ）は（ａ）のヒンジ側から見た側面図、（ｄ）は（ａ）のヒンジと反対側から見た側面図、（ｅ）は本体側から見た背面図である。
【図３】図１の携帯電話機の蓋体のサブ表示モジュールの取り付け構造を示す斜視図である。
【図４】図１の携帯電話機の充電器を示す図であり、（ａ）は側面図、（ｂ）は平面図、（ｃ）は背面図、（ｄ）は底面図である。
【図５】図１の携帯電話機を図４の充電器に載置した状態を示す図であり、（ａ）は正面図、（ｂ）は側面図である。
【図６】携帯電話機の通信・画像・制御処理を示すブロック図である。
【図７】図６のＲＡＭ３２に備えられた設定テーブルを示す図である。
【図８】携帯電話機をユーザが操作することにより、ユーザ所望の時刻表示形式を設定し、図７の設定テーブルに記憶する動作を示すフローチャートである。
【図９】サブ表示モジュールを携帯電話機に装着した時にメイン表示部に表示される画面であり、（ａ）はカラー液晶表示モジュール、（ｂ）、（ｃ）は二色液晶表示モジュール１１１、（ｄ）はモノクロ液晶表示モジュールを装着したときに示される画面である。
【図１０】テレビ電話による着信を検出したときの携帯電話機の着信応答動作を示すフローチャートである。
【図１１】携帯電話機の音声通話中にカラー液晶表示モジュールを装着し、映像データの送受信を開始する動作について説明するフローチャートである。
【符号の説明】
【０１１１】
１     携帯電話機（通信装置）
２     蓋体（蓋部）
３     本体（本体部）
５     メイン表示部
８     ヒンジ部（連結部）
９     撮像レンズ（撮像手段）
２０   無線処理部（映像データ送受信手段、音声データ送受信手段）
２１   制御部（映像データ送受信手段、音声データ送受信手段、通話状態判別手段、表示性能判別手段、キャンセル指示手段、映像データ供給手段）
２７   サブ表示部着脱検出部（交換検出手段）
３４   ＣＣＤ（撮像手段）
３５   ＤＳＰ（撮像手段）
１１０〜１１３       サブ表示モジュール（表示手段）
１１２ カラー液晶表示モジュール（表示手段）
２００ 内蔵アンテナ（映像データ送受信手段、音声データ送受信手段）
２１４ 映像データ処理部（映像データ送受信手段）
２１５ 音声データ処理部（音声データ送受信手段）
２１１ 着信検出部（通話要求検出手段）
２１２ 判別制御部（判別制御手段）
２１３ 映像データ送受信許可部（許可手段）
【図１】
2006109149.tif 000003
【図２】
2006109149.tif 000004
【図３】
2006109149.tif 000005
【図４】
2006109149.tif 000006
【図５】
2006109149.tif 000007
【図６】
2006109149.tif 000008
【図７】
2006109149.tif 000009
【図８】
2006109149.tif 000010
【図９】
2006109149.tif 000011
【図１０】
2006109149.tif 000012
【図１１】
2006109149.tif 000013